(57)【要約】【課題】見栄え良く芳香剤等の薬剤を収納することができ、この薬剤を交換できる。【解決手段】シート体からなる多角形の箱体であって、この箱体の側壁が、内側側壁４の外面を外側側壁１の内面に沿わせて嵌め込んで形成されており、外側側壁１の内面と内側側壁４の外面との双方又は一方に、少なくとも１つの凹状の収納部３，５を設けると共に、この収納部から箱体の内部へ通じる通気部２，６を設けた。又、外側側壁１に、箱体の底壁７を取り付けており、この底壁に内側側壁４を載置することにより、内側側壁４の上端面４ａが、外側側壁１の上端面１ａより上方に突出する。【選択図】図３
2005132487.tif 000002
【特許請求の範囲】
【請求項１】
シート体からなる多角形の箱体であって、この箱体の側壁が、内側側壁（４）の外面を外側側壁（１）の内面に沿って嵌め込まれて形成されており、外側側壁（１）の内面と内側側壁（４）の外面との双方又は一方に、薬剤等を収納する少なくとも１つの凹状の収納部（３）（５）を設けると共に、この収納部から箱体の内部へ通じる通気部（２）（６）を設けたことを特徴とする箱体。
【請求項２】
前記外側側壁（１）が、中央より上方に設けた上横溝（１２）と、中央より下方に設けた下横溝（１３）と、当該上横溝の上方に形成した少なくとも１つの孔部（１７）と、該孔部の周辺に設けた切り欠き部（１８）と、前記各横溝間に設けた複数の縦溝（１１）とを有する長方形状のシート体（１０）からなり、該シート体（１０）を、前記各横溝に沿って内側に折り畳むことにより底壁を嵌め込むための底壁用溝（１９）を形成し、前記各縦溝に沿って前記孔部が内側になるように折り曲げて、両端辺（１０ａ）（１０ｂ）を連結することにより前記外側側壁を形成することを特徴とする請求項１に記載の箱体。
【請求項３】
前記内側側壁（４）が、略中央に設けた横溝（２２）と、当該横溝の上方に形成した少なくとも１つの孔部（２６）と、該孔部の周辺に設けた切り欠き部（２７）と、前記横溝の上方に設けた複数の縦溝（２１）とを有する長方形状のシート体（２０）からなり、該シート体（２０）を、前記横溝に沿って内側に折り畳むことにより前記切り欠き部（２７）が他の切り欠き部（２８）に適合し、前記各縦溝に沿って前記孔部が外側になるように折り曲げて、両端辺（２０ａ）（２０ｂ）を連結することにより前記内側側壁を形成することを特徴とする請求項１又は２に記載の箱体。
【請求項４】
前記外側側壁（１）に、箱体の底壁（７）を取り付けており、この底壁に内側側壁（４）を載置することにより、前記内側側壁の上端面（４ａ）が、前記外側側壁の上端面（１ａ）より上方に突出することを特徴とする請求項１から３のいずれかに記載の箱体。
【請求項５】
前記収納部（３）（５）の少なくとも一つに、炭材（９）が収納されていることを特徴とする請求項１から４のいずれかに記載の箱体。
【請求項６】
前記シート体が紙製であることを特徴とする請求項１から５のいずれかに記載の箱体。
【発明の詳細な説明】
【技術分野】
【０００１】
本発明は、側壁に薬剤等を収納することができる箱体に関する。
【背景技術】
【０００２】
周知のように、箱体は、食料品や布製品類、或いはティッシュペーパー等様々なものを収納するために用いられるので、食料品の腐りを防止するための防腐剤、布製品等に虫がつくことを防ぐための防虫剤、或いはティッシュペーパーに香りを移すための芳香剤等を箱体に収納する必要性が高い。そのため、これら薬剤類を箱体内に収納すればよいが、単にこれらを箱体内に置くだけでは外観上美しくなく、見栄えが悪いという問題がある。又、箱体の側面に薬剤を塗布することもできるが（例えば、特許文献１参照）、食料品を収納する際には、薬剤が食料品に付着するという衛生上の問題があり、又薬剤の効果が薄れた際、薬剤の交換ができないので、箱体を使い捨てなければならない問題もある。
【特許文献１】実開平７−２１５８４号公報
【発明の開示】
【発明が解決しようとする課題】
【０００３】
本発明は、見栄え良く芳香剤等の薬剤を収納することができ、更にこの薬剤を交換可能とした箱体を提供する。
【課題を解決するための手段】
【０００４】
本発明に係る箱体は、シート体からなる多角形の箱体であって、この箱体の側壁が、内側側壁の外面を外側側壁の内面に沿わせて嵌め込んで形成されており、外側側壁の内面と内側側壁の外面との双方又は一方に、少なくとも１つの凹状の収納部を設けると共に、この収納部から箱体の内部へ通じる通気部を設けたことを特徴とする。
【０００５】
前記外側側壁が、中央より上方に設けた上横溝と、中央より下方に設けた下横溝と、上横溝の上方に形成した少なくとも１つの孔部と、孔部の周辺に設けた切り欠き部と、各横溝間に設けた複数の縦溝とを有する長方形状のシート体からなり、このシート体を、各横溝に沿って内側に折り畳むことにより底壁を嵌め込むための底壁用溝を形成し、各縦溝に沿って孔部が内側になるように折り曲げて、両端辺を連結することにより外側側壁を形成することを特徴とすることが好ましい。
【０００６】
前記内側側壁が、略中央に設けた横溝と、横溝の上方に形成した少なくとも１つの孔部と、孔部の周辺に設けた切り欠き部と、横溝の上方に設けた複数の縦溝とを有する長方形状のシート体からなり、このシート体を、横溝に沿って内側に折り畳むことにより切り欠き部が他の切り欠き部に適合し、各縦溝に沿って孔部が外側になるように折り曲げて、両端辺を連結することにより内側側壁を形成することを特徴とするも良い。
【０００７】
更に好ましくは、前記外側側壁に、箱体の底壁を取り付けており、この底壁に内側側壁を載置することにより、内側側壁の上端面が、外側側壁の上端面より上方に突出することを特徴とする。
【０００８】
又、収納部の少なくとも一つに、竹炭又は備長炭等の炭材が収納されていることが好ましい。そして、好ましくは、シート体が紙製である。
【発明の効果】
【０００９】
本発明の箱体によれば、側壁に設けた収納部に芳香剤等の固形の薬剤を収納することができるので、薬剤の効果が薄れても、新しい薬剤に交換することができ、箱体を使い捨てする必要がなく、何度も利用することができるため、経済的である。そして、この収納部は、側壁の内部に設けられているので、薬剤が露呈することなく収納でき、箱体内部の外観を美しくすることができ、意匠的にも優れている。更に、箱体の側壁が、一枚のシート体を折り曲げるだけで形成されるため、生産性に非常に富み、且つ強度的にも優れている。
【００１０】
又竹炭、備長炭、木炭、活性炭等の木材を炭化した炭材はガスを吸着する機能を備えているので、食品の鮮度を保持したり、調湿や消臭等の機能を有している。従って、前記した収納部に、この炭材を収納することにより、腐り易い解凍後の食品や、臭いが混ざり易い食品、或いはお茶等の湿気に弱い食品等を収納するのに好適な箱体を提供することができる。
【００１１】
更に又、本発明の箱体を紙製のシート体で形成することにより、合成樹脂製による環境問題、木製による熟練した技術の必要性やコスト面についての問題を解決でき、且つ軽量であるので運搬性をも向上することができる。
【発明を実施するための最良の形態】
【００１２】
以下、添付図面に基づいて本発明の箱体の一実施例を詳細に説明する。
【００１３】
図１は、箱体の外側側壁を示す説明図である。先ず、外側側壁の展開図である図１のＡに従って説明する。箱体の外側側壁１は、一枚のシート体１０を折り曲げて、組み立てて形成される。このシート体１０は、縦方向にのびる３本のＶ状の縦溝１１が等間隔に設けられており、この縦溝１１は、箱体の外側側壁１の角部を形成する。更に、このシート体１０は、中央より上方側に横方向にのびるＶ状の上横溝１２が、下方側に下横溝１３が設けられている。
【００１４】
そして、上横溝１２の上方には台形状の上内シート体１４が、上下横溝１２，１３の間には長方形状の外シート体１５が、下横溝１３の下方には台形状の下内シート体１６が設けられている。又、上内シート体１４に、比較的大きな台形状の孔部１７が設けられ、この孔部１７の上部が、切り欠き部１８によって切り欠かれている。この切り欠き部１８は、孔部１７の周辺に設けるものであれば何れの位置であっても良い。
【００１５】
次に、図１のＡ、Ｂ及びＣに基づいて説明する。図１のＢは、内シート体を折り畳んだ状態の外側側壁を示す展開図であり、Ｃは、外側側壁を組み立てて一部を破断した状態の斜視図である。シート体１０を上下横溝１２，１３に沿って折り畳み、上下内シート体１４，１６を外シート体１５に貼着する（図１のＢ参照）。そして、内シート体１４，１６を内側にして、縦溝１１に沿って折り曲げ、シート体１０の両端辺１０ａ，１０ｂを連結することにより、箱板の外側側壁１が形成される（図１のＣ参照）。
【００１６】
このシート体１０は厚みを有するので、孔部１７と切り欠き部１８とが、外側側壁１の内面に凹状の収納部３及び通気部２を形成し、この収納部３に比較的薄い板状の薬剤（例えば、防腐剤や芳香剤）を収納することができる。又、上内シート体１４と下内シート体１６との間に底壁用の溝１９が形成され、この底壁用溝１９に、箱体の底壁７を嵌め込むことができる。それによって、底壁７の下方に、箱体の脚部８が形成される。
【００１７】
図２は、箱体の内側側壁を示す説明図である。内側側壁の展開図である図２のＡに示す如く、箱体の内側側壁４も、一枚のシート体２０を折り曲げて、組み立てて形成される。このシート体２０は、前記のシート体１０と同様に、縦溝２１及び横溝２２が設けられ、この横溝２２の上方に長方形状の内シート体２４を、横溝２２の下方に長方形状の外シート体２５を有している。更に、内シート体２４に、台形状の孔部２６が設けられ、この孔部２６の上部が、切り欠き部２７によって切り欠かれている。従って、このシート体２０が、前記したシート体１０と異なる点は、下横溝１３、下内シート体１６に対応するものを有しておらず、そして、外シート体２５の下部が、切り欠き部２８によって切り欠かれている点である。これら切り欠き部２７，２８は、前記した外側側壁１と同様に何れの位置であっても良い。
【００１８】
次に、図２のＡ、Ｂ及びＣに従って説明する。図２のＢは、内シート体を折り畳んだ状態の内側側壁を示す展開図であり、Ｃは、内側側壁を組み立てて一部を破断した状態の斜視図である。前記した外側側壁１と同様に、シート体２０を横溝２２に沿って折り畳み、内シート体２４を外シート体２５に貼着する（図２のＢ参照）。そして、今度は、内シート体２４を外側にして、縦溝２１に沿って折り曲げ、シート体２０の両端辺２０ａ，２０ｂを連結することにより、箱体の内側側壁４が形成される（図２のＣ参照）。それによって、内側側壁４の外面に凹状の収納部５が設けられ、そして、内外シート体２４，２５の切り欠き部２７，２８が夫々適合するよう構成されているので、内側側壁４の下辺を切り欠いた通気部６が形成される。
【００１９】
図３は、箱体を説明するための斜視図であって、Ａは内側側壁を分離した状態、Ｂは内側側壁を嵌め込んだ状態である。この図に示すように、内側側壁４の外面を、外側側壁１の内面に沿わせながら嵌め込んで、底壁７に載置することにより、箱体の側壁が形成され、外側側壁１の収納部３・通気部２と、内側側壁４の収納部５・通気部６とが互いに重なり合うように構成されている。従って、各収納部３，５に板状の薬剤９を収納した状態で内側側壁４を嵌め込むことにより、薬剤９が通気部２，６を通じて、箱体の内部に拡散される（図３のＢの矢印参照）。
【００２０】
この薬剤９は、竹炭や備調炭、或いは活性炭等の木材を炭化した炭材とすることもできる。炭材は、ガスを吸着する機能を備えており、食品の鮮度を保持したり、調湿や消臭等の機能を有しているので、前記した収納部３，５の少なくとも一つに、この炭材を収納することにより、腐り易い冷凍食品の解凍後の食品や、臭いが移り易い食品、或いはお茶等の湿気に弱い食品等を収納するのに好適な箱体を提供することができる。そして、収納部３，５に収納するため、炭材は板状やシート状に形成されていたり、或いは粉末状に形成され繊維製袋に充填されている。
【００２１】
そして、図３のＢの如く、内側側壁４を外側側壁１に嵌め込んだ際、内側側壁４の上端面４ａが、外側側壁１の上端面１ａより上方に突出するように構成されているので、この突出部に、同一形状の他の箱体の脚部８を嵌め込むことにより重箱状にすることもでき、又最上段の箱体に適合する蓋体を嵌め込むこともできる。
【００２２】
前記の実施例では、外側側壁１と内側側壁４との双方に収納部３，５が形成されているが、いずれか一方にのみ形成しても同様の効果を得ることができる。又、各側壁１，４の双方が、一枚のシート体１０，２０を折り畳んで形成されているが、複数枚のシート体を接着剤などで貼着して形成しても良い。
【００２３】
そして、本発明のシート体は、発泡スチロール、木材、板紙、ダンボール紙、黄厚紙、或いはチップボール等からなっており特に種類は限定されないが、シート体を紙製にすることにより、環境性、生産性、経済性等に優れるので特に好ましい。又、シート体が木製以外のとき、箱体の表面に、木目状に印刷した紙を貼着することにより、格調の高い外観を呈するにも拘らず、非常に軽量で、且つ扱い易い箱体を形成することもできる。更に、本発明の箱体は、四角形に限らず、三角形、五角形、或いは八角形等いずれの形状でも良く、安定した、生産効率の良い箱体を形成することができる。
【図面の簡単な説明】
【００２４】
【図１】外側側壁を示す説明図であって、Ａ及びＢは展開図であり、Ｃは組み立てた状態の一部を破断した斜視図である。
【図２】内側側壁を示す説明図であって、Ａ及びＢは展開図であり、Ｃは組み立てた状態の一部を破断した斜視図である。
【図３】箱体を説明するための斜視図であって、Ａは内側側壁を分離した状態を示し、Ｂは内側側壁を嵌め込んだ状態を示す。
【符号の説明】
【００２５】
１  外側側壁
４  内側側壁
２，６  通気部
３，５  収納部
７  底壁
８  脚部
９  薬剤等
１０  外側側壁のシート体
２０  内側側壁のシート体
１０ａ，１０ｂ，２０ａ，２０ｂ  シート体の両端辺
１１，２１  縦溝
１２，１３，２２  横溝
１８，２６  孔部
【図１】
2005132487.tif 000003
【図２】
2005132487.tif 000004
【図３】
2005132487.tif 000005